(57)【要約】【課題】カバー材の裏側に斜面を設け、この斜面に躯体へ固定の接触子を対応させてカバー材の傾動を起こさせるため、カバー材を通常構造とすることにより加工を容易にする。斜面と接触子を接触させて変動時の抵抗を小さくし、部材の損傷を防止する。各部材を間隙内ではなく躯体の表面へ取り付けて作業性をよくする。【解決手段】間隙をおいて相対する躯体と躯体の間隙を覆うカバー材を、一方の躯体に設けた枢支部材にホルダを介して傾動可能に取り付けたエキスパンションジョイントにおいて、上記ホルダ６の間隙Ｓに対応する裏面に、他方の躯体３側よりも一方の躯体２側が高くなる傾斜の傾斜面７ａを設け、この傾斜面７ａに対応させて他方の躯体３に斜面と接触する接触子８を取付け、更に、上記ホルダ６にはカバー材４を躯体３へ向かって弾圧させるバネ部材９が係合されていること。【選択図】        図１
2004353325.tif 000002
【特許請求の範囲】
【請求項１】
間隙をおいて相対する躯体の間隙を覆うカバー材を、一方の躯体に設けた枢支部材へホルダを介して傾動可能に取りつけたエキスパンションジョイントにおいて、
上記ホルダの隙間に対応する裏面側に接面部を設け、接面部の他方の躯体側には傾斜面を設け、
この傾斜面に対応させて上記他方の躯体には、上記接面部に接触可能な接触子を取り付けるとともに、
上記ホルダには、上記カバー材を躯体へ向かって弾圧させるようにバネ部材が係合されている
ことを特徴とするエキスパンションジョイント。
【発明の詳細な説明】
【０００１】
【発明の属する技術分野】
本発明は、間隙をおいて相対する躯体に簡便に装着して間隙の閉塞を良好に行なわせるエキスパンションジョイントに関する。
【０００２】
【従来の技術】
従来、隣り合う躯体の間隙が変動するとき、間隙のカバー材を傾動させて変動を吸収するエキスパンションジョイントにおいては、躯体の一方に傾斜面を有する第１カバープレートを固定し、他方の躯体に傾斜面を有する第２カバープレートをヒンジにより取り付けて、この第２カバープレートの裏側に三角突部を設け、間隙が狭まる躯体の変動が起こるとき、第２カバープレートを第１カバープレートへ乗り上げさせて変動を吸収するようにしている。（例えば、特許文献１参照）
【０００３】
【特許文献１】
特開平７−４３２９０号公報（第２頁〜第３頁、図１、図２）
【０００４】
しかしながら、第１カバープレートと第２カバープレートに傾斜面を設ける場合は、これら傾斜面を乗り上げを起こし易い角度に形成しなければならないので、カバープレートの加工が困難であって、しかも、両傾斜面が面接触するため、変動時の抵抗が大きくてカバープレートの損傷を生じ易く、更に、狭い間隙内へ各部材を取り付けるため作業性も悪いという問題点がある。
【０００５】
【発明が解決しようとする課題】
本発明は前記問題点を解消し、カバー材の裏側に傾斜面を設け、この傾斜面に躯体に固定の接触子を対応させてカバー材の傾動を起こさせるため、カバー材を通常構造として加工を容易にすることができ、しかも、傾斜面と接触子を接触させるから、変動時の抵抗が小さくて部材の損傷を生ずることがなく、更に、各部材を間隙の内部ではなく、躯体の表面へ取り付けるために作業性もよくなるエキスパンションジョイントを提供することをその課題とする。
【０００６】
【課題を解決するための手段】
前記課題を解決するため、本発明に係るエキスパンションジョイントは、間隙をおいて相対する躯体の間隙を覆うカバー材を、一方の躯体に設けた枢支部材へホルダを介して傾動可能に取りつけたエキスパンションジョイントにおいて、上記ホルダの隙間に対応する裏面側に接面部を設け、接面部の他方の躯体側には傾斜面を設け、この傾斜面に対応させて上記他方の躯体には、上記接面部に接触可能な接触子を取り付けるとともに、上記ホルダには、上記カバー材を躯体へ向かって弾圧させるようにバネ部材が係合されていることを特徴とする。
【０００７】
【発明の実施の形態】
以下に本発明に係るエキスパンションジョイントを図面について説明する。
【０００８】
図１において符号１で示すエキスパンションジョイントは、間隙Ｓをおいて面一状に相対する躯体２と躯体３の間隙Ｓを覆うカバー材４を、一方の躯体２に設けた枢支部材５へホルダ６を介して傾動可能に取り付ける。そして、上記ホルダ６の間隙Ｓに対応する裏面側には接面部７を形成し、他方の躯体３側よりも一方の躯体２側の方が高くなる傾斜の傾斜面７ａを設け、この傾斜面７ａに対応させて他方の躯体３には、傾斜面７ａと接触する接触子８を取付け、更に、ホルダ６には、カバー材４を躯体３側へ向かって弾圧させるようにバネ部材９が係合されている構成としてある。
【０００９】
上記一方の躯体２と他方の躯体３とは、表面に壁材１０を取り付ける。この壁材１０は、所要幅で長尺に形成した公知のものであって、側縁に額縁材１１を取り付ける、この額縁材１１は、図２（ａ）（ｂ）に一部分を示す通り、壁材１０の側縁と平行する側片１１ａに、短い前片１１ｂと長い後片１１ｃとを直角に曲成した長尺のものであって、後片１１ｃで躯体２及び躯体３へ取り付ける。そして、額縁材１１の側片１１ａの後端側には、先端がカバー材４の背部端へ臨む目隠片１１ｄを取り付けてある。
【００１０】
カバー材４は、壁材１０と同じ材料で躯体２と躯体３との間隙Ｓを閉塞するのに充分な幅で、図３に一部分を示す通りの長尺物に形成し、両側には額縁材１３を嵌める。そして、この額縁材１３は、カバー材側４の側縁と平行する側片１３ａの前側に短い前片１３ｂを直角に曲成する構造とし、ホルダ６の端縁を係合させる一対の係止鉤１４を対設してある。
【００１１】
ホルダ６を一方の躯体２へ傾動可能に支持させる枢支部材５は、図４（ａ）に示す通り短寸に形成して、中央部に複数の取付孔１５をあけ、これらの取付孔１５にネジ１６を通して図１に示す通り枢支部材５を額縁材１１とともに躯体２へ締め付け固定する。そして、間隙Ｓ側の端部には、ホルダ６に設けた後記欠円溝を係合させる円軸１７を支持片１８に支持させて設ける。
【００１２】
ホルダ６は、カバー材４に取り付けた額縁材１３の後板１２に設けられる係止鉤１４へ両端縁が係合する幅で、長さは図４（ｂ）に示す通りの短寸に形成する。そして、枢着端６ａの後側には、枢支部材５の円軸１７に嵌合する欠円溝１９を設けてあり、裏面には他方の躯体３側よりも一方の躯体２側の方が高くなる傾斜で傾斜面７ａと、この傾斜面７ａに連なる接面部７とを形成し、これら傾斜面７ａ及び接面部７とホルダ６との間には、バネ部材９の自由端を係合させる空間２１を形成してある。
【００１３】
また、ホルダ６は、長尺のカバー材４の後側へ所定の間隔で所要数を取り付ける。ホルダ６には、額縁材１３の端縁を小片の額縁押え２２で押え、額縁押え２２とホルダ６をビス２３で額縁押え２２側からホルダ６とともに試着する。そして、カバー材４と額縁材の端縁をビス止めする。
【００１４】
接触子８は、傾斜面７ａと接触する部材で、図４（ｃ）に示すように支持板２４の先端に支持させ、この支持板２４に取付孔２５をあけ、取付孔２５には図１のようにネジ１６を通して、壁材１０の額縁材１１と共に躯体３へ締め付け、常態では接触子８がホルダ６の自由端６ｂ側の平らな部分へ当接している。しかし、間隙Ｓが狭まる躯体２と躯体３の変動時には、傾斜面７ａへ当接するようにするものであって、接触子８は、図４（ｃ）に示す通り軸２６で支持板２５へ回転自在に取り付けたローラ構造とすることが、円滑で確実な作動をさせるために最も好ましいが、断面は円形に限定されない。又、支持板２４の先端に一体に形成してもよい。
【００１５】
バネ部材９は、図４（ｄ）に示す通りバネ鋼を複数回丸めて中央のコイル部９ａを形成し、このコイル部９ａの一方には外側より固定部９ｂを伸び出させ、コイル部９ａの他方に内側より弾発部９ｃを伸び出させた構成として、上記固定部９ｂを連結片９ｄで連結し、２個のバネ部材９が対をなすようにしてある。
【００１６】
上記バネ部材９は、図１に示す通り中間のコイル部９ａをホルダ６の欠円溝１９に近い裏面へ当接させ、固定部９ｂを連結する連結部９ｄにより枢支部材５に係止し、弾発部９ｃをホルダ６の空間２１へ係合させて、その弾力でホルダ６が円軸１７を中心に回動し、カバー材４の躯体３への押し付けを行わせるようにする。
【００１７】
上記実施形態に示すエキスパンションジョイント１は、他方の躯体３へ外側から壁材１０の額縁材１１と共に、接触子８の支持板２４を取り付け、一方の躯体２へ壁材１０の額縁材１１と共に、ホルダ６でカバー材４を取り付けられた枢支部材５を取り付ければ、カバー材４で躯体２、３の間隙Ｓを閉塞するエキスパンションジョイント１が簡単に迅速にセットされる。
【００１８】
セットされたエキスパンションジョイント１は、躯体２と躯体３が常態を保っていれば、バネ部材９の付勢でホルダ６がその自由端６ｂの平らな部分を接触子８へ係合させている。従って、カバー材４は両側の壁材１０の間へ両壁材１０と面一をなすように収まって間隙Ｓを閉塞している。しかながら、地震や地盤沈下等が起って、躯体２と躯体３に間隙Ｓが狭まる変動を生じさせるときは、接触子８がホルダ６の裏面側に傾斜して設けられた接面部７に接触して転動するため、高い方へ向かって円滑軽快に移動して、ホルダ６に押し出し力を作用させる。このためホルダ６はバネ部材９に抗して円軸１７を中心に外方へ傾動して、カバー材４の自由端を壁材１０よりも外方へずれ出させ、躯体２と躯体３の間隙の図５及び図６に通りの縮小する変動を支障なく行わせる。
【００１９】
また、地震や地盤沈下等により躯体２と躯体３の間隙Ｓが広がる変動が起こるときは、接触子８はホルダ６の自由端６ｂ側の平らな部分を端部へ向かって移動し、カバー材４が図７に示す通り両側の壁材１０、１０と面一の状態を保ったままで間隙Ｓが広がる変動に対処する。
【００２０】
また、上記実施形態では、躯体２と躯体３の常態の間隙Ｓが、図８（ａ）（ｂ）（ｃ）（ｄ）に示す通り異なる場合、これらの間隙Ｓに応じた幅にカバー材４を形成すると共に、ホルダ６の裏面に各図に示す通り、傾斜面７ａと、これに連なる接面部７とを形成すれば、図８（ａ）に示す狭いＬ１の間隙Ｓから、図８（ｂ）に示すＬ４の広い間隙Ｓに至るまでのエキスパンションジョイント１を構成して、躯体２と躯体３の間隙Ｓの変動が起こるとき、カバー材４を傾動させてこれが間隙Ｓを閉塞した状態のままで間隙Ｓの変動を行わせる作用がすべてにおいて同様に行われる。
【００２１】
更に、ホルダ６の裏面に設ける傾斜面７ａは、図９（ａ）〜（ｄ）に示す通り、初段の傾斜面７ａと２段目の傾斜面７ａ’の２段構造に形成すると、躯体２と躯体３の間隙Ｓが狭まる変動を起こす際、先ず図９（ｂ）のように１段目の傾斜面７ａへ接触子８が作用して、ホルダ６を傾動させてカバー材４の自由端を躯体３の壁材１０より前側へずれ出させ、次に図９（ｃ）のように２段目の傾斜面７ａ’へ接触子８が作用して、ホルダ６を更に傾動させてカバー材４の開きを拡大し、遂には図９（ｄ）に示す状態までカバー材４を開かせることができるもので、間隙Ｓが特に大きい場合、傾斜面７ａを更に３段以上とすることもあるが、この場合についての図面及び説明は省略する。
【００２２】
図１０において符号１で示すエキスパンションジョイント１は、入隅ができるように並ぶ一方の躯体２と他方の躯体３との間隙Ｓに設置するものであり、この実施形態は、一方の躯体２が他方の躯体３が直交する状態にあるため、躯体２へ壁材１０を取付ける額縁材１１と、ホルダ６と、その枢支部材５との構造が上記実施形態とは相違している。しかし、その他の部材の構造は上記実施形態のものと同じである。
【００２３】
構造が相違する額縁材１１は、図１１（ａ）に示す通り、壁材１０の側縁と平行する側片１１ａに、短い前片１１ｂと長い後片１１ｃとを直角に曲成して壁材１０の側部へ嵌め付け、後片１１で躯体２へ取り付けるものであり、この額縁材１１の側片１１ａの中間部分には、躯体２と平行するよう立上片１１ｅを設けて、その先端にカバー材４の背部へ曲がり込む目隠片１１ｄを連設する。
【００２４】
枢支部材５は、躯体２への取付部５ａの先端から間隙Ｓ側へ張出部５ｂを直角に曲成した構造であり、張出部５ｂの先端には斜め下方へ曲がる支持片１８に支持させて円軸１７を設ける。
【００２５】
ホルダ６は、枢支部材５の円軸１７が斜め下方に向くため、これに適合するように欠円溝１９を斜め向きに設けるとともに、傾斜面７ａに連なる接面部７の端部を欠円溝１９の周壁に接続してある。
【００２６】
この実施形態も、他方の躯体３へ外側から壁材１０の額縁材１１と共に、接触子８の支持板２４を取り付け、一方の躯体２へ壁材１０の額縁材１１と共に、ホルダ６でカバー材４を取り付けられた枢支部材５を取り付ければ、カバー材４で躯体２、３の間隙Ｓを閉塞するエキスパンションジョイント１が簡単に迅速にセットされて、躯体２と躯体３の間隙Ｓが変動しない常態においては、カバー材４は図１０に示す通り、他方の躯体３に取付けた壁材１０と面一をなして間隙Ｓを閉塞しているが、躯体２と躯体３とが間隙Ｓが狭まる変動を生ずると、図１２、図１３に示す通り接触子８がホルダ６の傾斜面７ａに係合してホルダ６の回動を起こさせるため、カバー材４の自由端６ｂ側は躯体３に取付けた壁材１０よりも前側へずれ出して、間隙Ｓを図１２、図１３に示す通りに縮小するように変動させる。反対に躯体２と躯体３が間隙Ｓの広がる変動を起こすときは、図１４に示す通り接触子８がホルダ６の接面部７より離れて平面部を端部へ移動するため、カバー材４は静止して躯体３に取付けた壁材１０と面一を保持した状態で間隙Ｓの拡大する変動に対処する。
【００２７】
また、この実施形態は、カバー材４とそのホルダ６に形成する傾斜面７ａを、躯体２と躯体３の常態の間隙Ｓの寸法に合せて形成すれば、図８（ａ）に示すＬ１の狭い間隙Ｓから、図８（ｄ）に示すＬ４の広い間隙Ｓに至るまでの広範囲の条件に適応して、間隙Ｓの変動に関係なく閉塞を維持する機能を確実に果すことができ、また、ホルダの傾斜面７ａを複数段設ければ、カバー材４が傾動する範囲を拡大して、間隙Ｓが縮小に範囲を一層拡大できるなどの点においても上記実施形態と同様である。
【００２８】
なお、本発明のエキスパンションジョイントは、上述の通り躯体２及び躯体３の壁面に生ずる間隙Ｓ用として適用しえるだけでなく、躯体２及び躯体３の天井面に生ずる間隙Ｓ用としても同様に適用して、同様の機能を発揮し得るものであること勿論である。
【００２９】
【発明の効果】
一方の躯体へカバー材を傾動可能に取り付けるホルダの裏面に斜面を設け、この斜面に対応させて他方の躯体に斜面と接触する接触子を設けた構造によりカバー材の端部に傾斜を形成する必要がないので、加工を容易にすることができ、しかも、傾斜面へ接触子が接触するため、変動時の作動抵抗が小さくて部材の損傷を生ずることがなく、更に、部材の取り付けを間隙の内部へは行わず、躯体の表面へ行うので作業性がよくなる。
【図面の簡単な説明】
【図１】面一の壁材用のエキスパンションジョイントの常態を示す断面図。
【図２】（ａ）（ｂ）は、同上の壁材に嵌める額縁材の一部分を示す斜視図。
【図３】カバー材の一部分を示す斜視図。
【図４】（ａ）（ｂ）（ｃ）（ｄ）は、ホルダの枢支部材と、ホルダと、ホルダの接触子と、ホルダを付勢するバネ部材を示す斜視図。
【図５】同上エキスパンションジョイントの躯体の間隙が狭まった状態の断面図。
【図６】躯体の間隙が更に狭まった状態の断面図。
【図７】躯体の間隙が広がった状態の断面図。
【図８】（ａ）（ｂ）（ｃ）（ｄ）は、本エキスパンションジョイントが広範囲の広狭間隙に適応できる状態の説明図。
【図９】（ａ）（ｂ）（ｃ）（ｄ）はホルダの裏面に２段の斜面を形成した場合の間隙変動に対処する状態の説明図。
【図１０】入隅を成す壁材用のエキスパンションジョイントの常態を示す断面図。
【図１１】（ａ）（ｂ）（ｃ）は、同上の一部の変形により変わった壁材用の額縁材と、カバー材のホルダと、ホルダの枢支部材とを示す斜視図。
【図１２】同上エキスパンションジョイントの躯体の間隙が狭まった状態の断面図。
【図１３】躯体の間隙が更に狭まった状態の断面図。
【図１４】躯体の間隙が広がった状態の断面図。
【符号の説明】
１  エキスパンションジョイント
Ｓ  間隙
２と３  躯体
４  カバー材
５  枢支部材
６  ホルダ
７  接面部
８  接触子
９  バネ部材
【図１】
2004353325.tif 000003
【図２】
2004353325.tif 000004
【図３】
2004353325.tif 000005
【図４】
2004353325.tif 000006
【図５】
2004353325.tif 000007
【図６】
2004353325.tif 000008
【図７】
2004353325.tif 000009
【図８】
2004353325.tif 000010
【図９】
2004353325.tif 000011
【図１０】
2004353325.tif 000012
【図１１】
2004353325.tif 000013
【図１２】
2004353325.tif 000014
【図１３】
2004353325.tif 000015
【図１４】
2004353325.tif 000016